(57)【要約】【課題】簡易かつ安価に、雨水を貯水するためのシステムおよびそれに用いられる貯水装置を提供すること。【解決手段】貯水システム１は、屋根に降り注いだ雨水を樋１０〜１４を介して集約するための雨水集約手段と、雨水集約手段によって集約された雨水を蓄えるための貯水装置８とを備える。貯水装置８は、雨水を蓄える貯水槽３と、雨水を貯水槽に注入する雨水注入管２と、貯水槽３の上方側面に設けられた穴に取り付けられており、かつ排水路７と連結している排水管４と、貯水槽３の下部に設けられたコック６とを含む。【選択図】図１
0003130159.tif 000002
【実用新案登録請求の範囲】
【請求項１】
雨水を貯水するためのシステムであって、
屋根に降り注いだ前記雨水を樋を介して集約するための雨水集約手段と、
前記雨水集約手段によって集約された前記雨水を蓄えるための貯水装置とを備え、
前記貯水装置は、
前記雨水を蓄える貯水槽と、
前記雨水集約手段によって集約された前記雨水を前記貯水槽に注入する雨水注入管と、
前記貯水槽の上方側面に設けられた穴に取り付けられており、かつ排水路と連結している排水管と、
前記貯水槽の下部に設けられたコックとを含む、貯水システム。
【請求項２】
雨水を貯水するための貯水装置であって、
雨水を蓄える貯水槽と、
樋を介して集約された前記雨水を前記貯水槽に注入する雨水注入管と、
前記貯水槽の上部に設けられた穴に取り付けられており、かつ排水路と連結している排水管と、
前記貯水槽の下部に設けられたコックとを含む、貯水装置。
【請求項３】
前記貯水槽は、
前記雨水注入管を取り付けるために、前記貯水槽の上面部に固定された固定部と、
前記貯水槽の上面部に取り付けられた開閉可能な蓋部とを有する、請求項２に記載の貯水装置。
【請求項４】
前記コックは、前記貯水槽の底面に蓄えられた水を排出可能に取り付けられていることを特徴とする、請求項２に記載の貯水装置。
【請求項５】
前記雨水注入管の端部には、取り外し可能なネットが取り付けられていることを特徴とする、請求項２に記載の貯水装置。
【考案の詳細な説明】
【技術分野】
【０００１】
本発明は、雨水を蓄えるための貯水システム及びそれに用いられる貯水装置に関する。
【背景技術】
【０００２】
近年、環境保護の観点から、雨水を有効に利用しようとする製品が提案されつつある。たとえば、地下の貯水槽に雨水を蓄え、電気式ポンプを利用して、当該雨水を吸い上げ、散水等に利用するといった製品が提案されている。
【考案の開示】
【考案が解決しようとする課題】
【０００３】
しかし、現在、提案されているいずれの商品も複雑であり、簡易かつ安価に提供されているものではなかった。
【０００４】
それゆえ、本考案は、簡易かつ安価に、雨水を貯水するためのシステムおよびそれに用いられる貯水装置を提供することを目的とする。
【課題を解決するための手段】
【０００５】
上記課題を解決するために、本考案は、以下のような特徴を有する。
【０００６】
本考案は、雨水を貯水するためのシステムであって、屋根に降り注いだ雨水を樋を介して集約するための雨水集約手段と、雨水集約手段によって集約された雨水を蓄えるための貯水装置とを備え、貯水装置は、雨水を蓄える貯水槽と、雨水集約手段によって集約された雨水を貯水槽に注入する雨水注入管と、貯水槽の上方側面に設けられた穴に取り付けられており、かつ排水路と連結している排水管と、貯水槽の下部に設けられたコックとを含む。
【０００７】
好ましくは、貯水槽は、雨水注入管を取り付けるために、貯水槽の上面部に固定された固定部と、貯水槽の上面部に取り付けられた開閉可能な蓋部とを有するとよい。
【０００８】
好ましくは、貯水槽の底面に蓄えられた水を排出可能に取り付けられているとよい。
【０００９】
好ましくは、雨水注入管の端部には、取り外し可能なネットが取り付けられているとよい。
【考案の効果】
【００１０】
本考案によれば、樋を介して雨水を集約することができる。樋は、各住戸に必ず設けられているものであるので、非常に安価に、雨水を集約することができる。集約された雨水は、雨水注入管を介して、貯水槽に蓄えられるが、貯水槽は、四角柱状や円柱状などのシンプルな構造でよい。貯水槽に取り付けられるコックも、通常のコックを用いることができる。したがって、簡易かつ安価に、雨水を貯水するためのシステム及び貯水装置を提供することができる。
【００１１】
さらに、貯水槽の上方側面に設けられた穴に、排水管が取り付けられているので、貯水槽をオーバーフローしそうになる雨水を排水管へと導くことができる。排水管から排水された雨水は、排水路に流されることとなるので、大量の雨が降り注いだとしても、貯水槽から水があふれ出て、周囲が水浸しになることを防止することができる。
【００１２】
また、貯水槽の上面部に開閉可能な蓋部を設けると共に、雨水注入管を固定するための固定部を設けることによって、貯水槽内部を清掃する際、雨水注入管を取り外したり動かしたりすることなく、蓋部を空けて、内部を清掃することができる。
【００１３】
また、コックが、貯水槽の底面に蓄えられた水を排出可能に取り付けられているので、雨水を残さず使うことができる。
【００１４】
さらに、雨水注入管の端部には、取り外し可能なネットが取り付けられていることによって、樋からのゴミが貯水槽に入るのを防ぐことができる。当該ネットは取り外し可能であるので、ゴミが溜まれば、蓋部を開けて当該ゴミを取り除けばよい。これによって、ゴミが貯水槽に入り、コックから雨水が正常に排出されないといった事態を回避することができる。
【００１５】
本考案のこれらおよび他の目的、特徴、局面、効果は、添付図面と照合して、以下の詳細な説明から一層明らかになるであろう。
【考案を実施するための最良の形態】
【００１６】
図１は、本考案に係る実施形態の全体構成を示す図である。図１において、貯水システム１は、樋１０，１１，１２，１３，１４と、貯水装置８とを備える。貯水装置８は、雨水注入管２と、貯水槽３と、排水管４と、支持台５と、コック６とを含む。なお、図１において、排水管４を明確に示すために、支持台５の支柱が一部省略されている。
【００１７】
樋１０〜１４は、雨水注入管２に雨水を集約するように連結されている。すなわち、樋１０〜１４は、屋根に降り注いだ雨水を雨水注入管２に集約するための雨水集約手段として機能する。
【００１８】
図２は、貯水装置８の内部構造を示す図である。雨水注入管２は、樋１０〜１４を介して集約された雨水を、貯水槽３に注ぐ。雨水注入管２の端部には、ネット２１が取り付けられている。ネット２１は、取り外し可能である。雨水にゴミが含まれていた場合、ネット２１に溜められることとなる。ネット２１を外して、ゴミを取り除けばよい。貯水槽３に蓄えられた雨水は、底部の水を排出可能に取り付けられたコック６から排出される。
【００１９】
貯水槽３の上部側面は、排水管４を取り付けるための穴が形成されている。排水管４は、当該穴に取り付けられている。貯水槽３の水が溜まって、オーバーフローしそうになると、排水管４から排出されることになる。排水管４の他端は、排水路７と連結している。したがって、オーバーフローしそうな水は、全て、排水路７に排出されることとなるので、貯水槽３から雨水があふれ出ることはない。
【００２０】
図３は、貯水槽３の上面部の構成を示す図である。貯水槽３の上面部は、雨水注入管２を固定するための固定部３１と、蝶番３３，３４によって、開閉可能な蓋部３２とによって構成されている。蓋部３２を開けることによって、貯水槽３の内部を清掃等することができる。その際、雨水注入管２は、固定部３１を介して、貯水槽３に固定されているので、雨水注入管２を動かしたり外したりすることなく、貯水槽３の内部を清掃等することができる。
【００２１】
図４は、貯水装置８の他の構造を示す図である。図４に示すように、コック６は、貯水槽３の底面部分に取り付けられていても良い。すなわち、コック６は、貯水槽３の底面に蓄えられた水を排出可能に取り付けられていれば、どのように取り付けられていても良い。当然、底面に蓄えられた水が全て排出されなくてもよいのであれば、底面部分から少し上方にコック６が取り付けられていてもよいことは言うまでもない。すなわち、コック６は、貯水槽３の下部に設けられていればよい。
【００２２】
図５は、貯水槽３の上面部の他の構成を示す図である。図５に示すように、蓋部３２は、排水管４とコック６とを結ぶ線に対して、平行に開くようになっていてもよい。
【００２３】
図６は、貯水槽３の上面部の他の構成を示す図である。図６に示すように、蓋部３２は、蝶番３３，３４によって、固定部３１に取り付けられているのではなく、貯水槽３に取り付けられていても良い。その他、固定部３１が雨水注入管２を取り付けるために貯水槽３の上面部に固定されており、蓋部３２が貯水槽３の上面部に開閉可能に取り付けられているのであれば、上記で示した例に限られるものではない。なお、スライド式の蓋が用いられたりしてもよい。また、雨水注入管２は、家屋の壁面に固定されて、貯水槽３に固定されていなくてもよい場合もある。雨水注入管２の固定方法や、貯水槽３の蓋の構造は、ここに示した例に限られるものではない。
【００２４】
以上、本考案を詳細に説明してきたが、前述の説明はあらゆる点において本考案の例示にすぎず、その範囲を限定しようとするものではない。本考案の範囲を逸脱することなく種々の改良や変形を行うことができることは言うまでもない。
【産業上の利用可能性】
【００２５】
本考案に係る貯水システム及びそれに用いられる貯水装置は、雨水を簡便かつ安価に蓄えることができ、環境保全の観点等において、産業上有用である。
【図面の簡単な説明】
【００２６】
【図１】本考案に係る実施形態の全体構成を示す図
【図２】貯水装置８の内部構造を示す図
【図３】貯水槽３の上面部の構成を示す図
【図４】貯水装置８の他の構造を示す図
【図５】貯水槽３の上面部の他の構成を示す図
【図６】貯水槽３の上面部の他の構成を示す図
【符号の説明】
【００２７】
１  貯水システム
２  雨水注入管
３  貯水槽
４  排水管
５  支持台
６  コック
７  排水路
８  貯水装置
１０〜１４  樋
２１  ネット
３１  固定部
３２  蓋部
３３，３４  蝶番
【図１】
0003130159.tif 000003
【図２】
0003130159.tif 000004
【図３】
0003130159.tif 000005
【図４】
0003130159.tif 000006
【図５】
0003130159.tif 000007
【図６】
0003130159.tif 000008